(57)【要約】【課題】  簡単な構成で大型化を招くことなく遊技者による均しを要しないで遊技機外に配置された球収容部に均等分散させて皿部以外の貯留部材に排出されたパチンコ球が溢れるのを防止できるパチンコ遊技機を提供する。【解決手段】  球受け部におけるパチンコ球が集約する位置に球排出用入り口部８Ｃを設け、球排出用入り口部８Ｃに対面する延長方向一端および球排出用入り口部８Ｃとは異なる位置にパチンコ球を排出可能な複数の球抜き部８Ｄ、８Ｄ’を備え、球排出用入り口部８Ｃから排出されるパチンコ球の排出位置を切り換える構成１１が設けられていることを特徴としている。【選択図】  図３
2006109911.tif 000002
【特許請求の範囲】
【請求項１】
パチンコ球を発射装置に向けて供給する供給領域と、払い出された賞球の貯留領域とがほぼ同一面内に設けられ、これら各領域からのパチンコ球を外部に落下させて排出するための球抜き部が設けられている一体皿を有するパチンコ遊技機において、
前記供給領域と前記貯留領域とに存在するパチンコ球が集約する位置に設けられた開口で構成されている球排出用入り口部と、該球排出用入り口部に連続する延長方向一端および前記球排出用入り口部から分岐した複数の延長方向他端を有する球抜き部とを備え、
前記球排出用入り口部および分岐することにより複数の排出方向を設定されている球抜き部のうちの少なくとも球排出用入り口部には、遊技者自身の操作により前記球排出用入り口部からのパチンコ球の排出位置を切り換えることができる構成が備えられていることを特徴とするパチンコ遊技機。
【請求項２】
請求項１記載のパチンコ遊技機において、
前記パチンコ球の排出位置を切り換える構成として、前記球排出用入り口部の開口を開閉可能なシャッター部材が用いられ、該シャッター部材は、前記一体皿の外部に延長された操作部を備え、通常、前記球排出用入り口部の開口全域を覆う初期状態を維持され、前記操作部の移動方向に応じて前記球排出用入り口部を二分する位置に移動して開放された開口側を該球排出用入り口部側で分岐する前記球抜き部のいずれかと連通させる位置に変位させる構成であることを特徴とするパチンコ遊技機。
【請求項３】
請求項１記載のパチンコ遊技機において、
前記パチンコ球の排出位置を切り換える構成として、前記球抜き部の排出位置にそれぞれ設けられた開閉部材が用いられ、該開閉部材を選択開閉することによりパチンコ球の排出位置を切り換えることを特徴とするパチンコ球技機。
【請求項４】
請求項１記載のパチンコ遊技機において、
前記球排出用入り口部は、前記供給領域と前記賞球の貯留領域とに存在するパチンコ球が集約する位置に複数箇所設けられ、これら各球排出用入り口部にはそれぞれ球抜き部が連続して設けられ、前記球排出用入り口部を選択的に開閉することで球抜き部からのパチンコ球の排出位置を異ならせることを特徴とするパチンコ遊技機。
【請求項５】
請求項２記載のパチンコ遊技機において、
前記シャッター部材は、前記球排出用入り口を横断可能な構成を備え、横断した際に該球排出用入り口部の全てを覆う位置および開口分割位置をそれぞれ規定する構成を備え、該規定された位置からの移動は遊技者による操作力を利用して行うことを特徴とするパチンコ遊技機。
【請求項６】
パチンコ球を発射装置に向けて供給する供給領域と、払い出された賞球の貯留領域とがほぼ同一面内に設けられ、これら各領域からのパチンコ球を外部に落下させて排出するための球抜き部が設けられている一体皿を有するパチンコ遊技機において、
前記供給領域と前記貯留領域とに存在するパチンコ球が集約する位置に設けられた開口で構成されている球排出用入り口部と、該球排出用入り口部に連続する延長方向一端および前記球排出用入り口部から分岐した複数の延長方向他端を有する球抜き部とを備え、
前記球抜き部の延長方向一端は可撓性を持たせてあり、該延長方向一端は、前記一体皿外部に延長された操作部材により前記球排出用入り口部に対して選択された側が該球排出用入り口部に対向する位置に位置決めされて対面させられることを特徴とするパチンコ遊技機。
【請求項７】
請求項６記載のパチンコ遊技機において、
前記操作部材は、前記一体皿内部に位置して前記球抜き部の延長方向一端に対応する端部が各球抜き部の延長方向一端を挟持する構成とされ、外部からの操作により延長方向一端のいずれかを前記球排出用入り口部に対向させる構成であることを特徴とするパチンコ遊技機。
【発明の詳細な説明】
【技術分野】
【０００１】
本発明は、パチンコ遊技機に関し、さらに詳しくは、遊技機前面に設けられている球受け皿における球抜き機構に関する。
【背景技術】
【０００２】
周知のように、パチンコ遊技においては、遊技機に装備されている遊技盤面の遊技領域に設けられている入賞口にパチンコ球が入賞すると、その入賞口に設定されている所定数の賞球が払出されるようになっている。
【０００３】
払い出された賞球は、遊技機の前面に設けられている球受け皿に貯留され、発射装置に向けて導入されると再度発射装置により遊技領域に向け弾き飛ばすことができるようになる。
【０００４】
球受け皿の構成としては、払い出されたパチンコ球を貯留する上側受け皿と上側受け皿に溢れたパチンコ球を回収して貯めておく下側受け皿とを設けた構成がある（例えば、特許文献１）。
【０００５】
ところで、上側および下側の各受け皿を設けた構成では、上側から下側の受け皿にパチンコ球を移し替える手間が必要となり、遊戯に集中できない不便があることを考慮して、上側と下側との受け皿を一体化した構成の一体皿が知られている（例えば、特許文献１）。
【０００６】
上記各特許文献に開示されている球受け皿の構成においては、パチンコ球が大量に貯留されると溢れてしまう虞があるので、貯留されたパチンコ球を球受け皿からドル箱などの遊技機側とは別の貯留部材に排出することが行われている。
【０００７】
球受け皿からドル箱などにパチンコ球を排出するための構成としては、例えば、特許文献２に開示された一体皿を対象とすると、受け皿内において発射装置に向けてパチンコ球を供給するためのガイド部をなす供給レールを備えた供給部と払い出される賞球を受ける賞球受け部とにそれぞれ開口する球通路をそれぞれ所定位置で合流させ、合流位置から垂直方向に延長した球抜き通路を設けた構成がある。
【０００８】
上記構成において、受け皿内のパチンコ球を球抜き通路に向けて排出する場合には、各部における通路の開口部を開閉するシャッターを選択開放してパチンコ球を球抜き通路に向け誘導し、球抜き通路の下部開口に対向して配置されたドル箱に落下させるようになっている。
【特許文献１】特開平１１−４７３９７号公報（段落「０００２」欄）
【特許文献２】特開２００２−２６３３２５号公報（段落「００１９」欄）
【発明の開示】
【発明が解決しようとする課題】
【０００９】
ところで、球抜き通路の下部開口から落下したパチンコ球は、ドル箱内に貯留されることになるが、球抜き通路からのパチンコ球が１箇所の落下地点に集中することになり、ドル箱内でパチンコ球が山形に積み上がることになる。
【００１０】
このため、遊技者は、ドル箱内でのパチンコ球の貯留状態を視認することで山形となったパチンコ球を均すことにより、継続して落下してくるパチンコ球の貯留量が減少しないようにする操作が必要となる。仮に均さない場合には、山形の頂点に落下したパチンコ球が弾かれて溢れ出てしまうことがある。
【００１１】
しかし、パチンコ球は、遊技機内およびこれが搭載されている島内を循環するものであるために、互いの接触による帯電を来していることもあり、不用意に均そうとした際に感電して遊技者が不快感を覚えるようなことがある。
【００１２】
そこで、除電機構を設けることも考えられるが、遊技機の構成とは関係のない除電機構を設けることによる構造の大型化や複雑化を招く虞がある。
【００１３】
一方、ドル箱から溢れるのを未然に防止するためにはパチンコ球の貯留状態を遊技者から見やすくすることも考えられる。そこで、パチンコ球の落下位置を遊技者が見やすい位置に設定するためのガイド機構を設け、溢れる前にパチンコ球を均すようにさせることも考えられる。しかし、このような方策を採った場合には、ガイドされる位置、つまり、遊技者が視認しやすいように遊技機の前面から張り出した位置を設定したような場合には、ドル箱の形状が大型となったり、あるいはガイド部が遊技機の球抜き通路下部から遊技者側に向けて指向することもあり、ガイド部材がデザイン上、目障りとなる印象を与えたりすることがある。
【００１４】
本発明の目的は、上記従来のパチンコ遊技機、特にパチンコ球の球抜きにおける問題に鑑み、簡単な構成で大型化を招くことなく遊技者による均しを要しないで遊技機外に配置された球収容部に均等分散させて皿部以外の貯留部材に排出されたパチンコ球が溢れるのを防止できるパチンコ遊技機を提供することにある。
【課題を解決するための手段】
【００１５】
請求項１記載の発明は、パチンコ球を発射装置に向けて供給する供給領域と、払い出された賞球の貯留領域とがほぼ同一面内に設けられ、これら各領域からのパチンコ球を外部に落下させて排出するための球抜き部が設けられている一体皿を有するパチンコ遊技機において、前記供給領域と前記貯留領域とに存在するパチンコ球が集約する位置に設けられた開口で構成されている球排出用入り口部と、該球排出用入り口部に連続する延長方向一端および前記球排出用入り口部から分岐した複数の延長方向他端を有する球抜き部とを備え、前記球排出用入り口部および分岐することにより複数の排出方向を設定されている球抜き部のうちの少なくとも球排出用入り口部には、遊技者自身の操作により前記球排出用入り口部からのパチンコ球の排出位置を切り換えることができる構成が備えられていることを特徴としている。
【００１６】
請求項２記載の発明は、請求項１記載のパチンコ遊技機において、前記パチンコ球の導入方向を切り換える構成として、前記球排出用入り口部の開口を開閉可能なシャッター部材が用いられ、該シャッター部材は、前記一体皿の外部に延長された操作部を備え、通常、前記球排出用入り口部の開口全域を覆う初期状態を維持され、前記操作部の移動方向に応じて前記球排出用入り口部を二分する位置に移動して開放された開口側を該球排出用入り口部側で分岐する前記球抜き部のいずれかと連通させる位置に変位させる構成であることを特徴としている。
【００１７】
請求項３記載の発明は、請求項１記載のパチンコ遊技機において、前記パチンコ球の排出位置を切り換える構成として、前記球抜き部の排出位置にそれぞれ設けられた開閉部材が用いられ、該開閉部材を選択開閉することによりパチンコ球の排出位置を切り換えることを特徴としている。
【００１８】
請求項４記載の発明は、請求項１記載のパチンコ遊技機において、前記球排出用入り口部は、前記供給領域と前記賞球の貯留領域とに存在するパチンコ球が集約する位置に複数箇所設けられ、これら各球排出用入り口部にはそれぞれ球抜き部が連続して設けられ、前記球排出用入り口部を選択的に開閉することで球抜き部からのパチンコ球の排出位置を異ならせることを特徴としている。
【００１９】
請求項５記載の発明は、請求項２記載のパチンコ遊技機において、前記シャッター部材は、前記球排出用入り口部を横断可能な構成を備え、横断した際に該球排出用入り口部の全てを覆う位置および開口分割位置をそれぞれ規定する構成を備え、該規定された位置からの移動は遊技者による操作力を利用して行うことを特徴としている。
【００２０】
請求項６記載の発明は、パチンコ球を発射装置に向けて供給する供給領域と、払い出された賞球の貯留領域とがほぼ同一面内に設けられ、これら各領域からのパチンコ球を外部に落下させて排出するための球抜き部が設けられている一体皿を有するパチンコ遊技機において、前記供給領域と前記貯留領域とに存在するパチンコ球が集約する位置に設けられた開口で構成されている球排出用入り口部と、該球排出用入り口部に連続する延長方向一端および前記球排出用入り口部から分岐した複数の延長方向他端を有する球抜き部とを備え、前記球抜き部の延長方向一端は可撓性を持たせてあり、該延長方向一端は、前記一体皿外部に延長された操作部材により前記球排出用入り口部に対して選択された側が該球排出用入り口部に対向する位置に位置決めされて対面させられることを特徴としている。
【００２１】
請求項７記載の発明は、請求項５記載のパチンコ遊技機において、前記操作部材は、前記一体皿内部に位置して前記球抜き部の延長方向一端に対応する端部が各球抜き部の延長方向一端を挟持する構成とされ、外部からの操作により延長方向一端のいずれかを前記球排出用入り口部に対向させる構成であることを特徴としている。
【発明の効果】
【００２２】
請求項１および３記載の発明によれば、球排出用入り口部からパチンコ球を排出するために用いられる球抜き部がパチンコ球の落下位置を異ならせて複数設けられ、球排出用入り口部若しくは球抜き部においてパチンコ球の排出位置を切り換えることができるので、球抜き部から排出されるパチンコ球が１カ所に集中することなく分散されて排出されることになる。これにより、球排出用入り口部での導入方向切り換えという簡単な操作により遊技者の均し作業を必要としなくても、集中的な排出位置しかない場合に発生していたパチンコ球の山積みによる溢れを解消することが可能となる。
【００２３】
請求項２記載の発明によれば、パチンコ球の導入方向を切り換える構成として、球排出用入り口部を開閉可能なシャッター部材により球排出用入り口部の開口領域を振り分ける構成としているので、一体皿の外形構造や受け皿部の形態を変更することなく排出されるパチンコ球の溢れを防止する構成を得ることが可能となる。
【００２４】
請求項４記載の発明によれば、球排出用入り口部を、パチンコ球の受け皿面における供給領域および賞球の貯留領域とに存在するパチンコ球が集約する位置に複数設け、これら球排出用入り口部にそれぞれ球抜き部を連続させることにより球排出用入り口部のいずれかを選択して開放するだけでパチンコ球の排出位置を異ならせることができる。これにより、パチンコ球の受け皿面に特別な構造変更を行うことなくパチンコ球の集中的な排出による溢れを防止することが可能となる。
【００２５】
請求項５記載の発明によれば、球排出用入り口部を横断するシャッター部材がその横断位置を遊技者の操作力を利用して選択できるので、貯留部材内でのパチンコ球の貯留状態に応じて任意にパチンコ球の排出方向を設定することができる。これにより、排出されるパチンコ球の偏倚を未然に防止することが可能となる。
【００２６】
請求項６および７記載の発明によれば、複数設けられている球抜き部の延長方向端部のうちで、球排出用入り口部に対向する一端が可撓性とされ、この部分を外部操作により選択的に球排出用入り口部に対面させる構成であるので、上記延長方向一端を球排出用入り口部に対面させることで連通状態とするだけでパチンコ球の排出方向が設定できる。これにより、シャッター部材を用いた場合と違って、球抜き部自体をパチンコ球の排出方向設定および非排出状態設定に用いることができ、排出されるパチンコ球の溢れを防止する構成をより簡略化することが可能となる。
【発明を実施するための最良の形態】
【００２７】
以下、図面に示す実施例により、本発明を実施するための最良の形態について説明する。
【実施例】
【００２８】
図１は、本発明実施例で対象とするパチンコ遊技機１００の正面図であり、同図においてパチンコ遊技機１００は、外郭方形枠サイズに形成されて縦長の固定保持枠１を構成する外枠１の開口前面に、外枠１に合わせて方形枠サイズに形成された開閉搭載用の前枠２を備えている。
【００２９】
前枠２は、外枠２の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。
【００３０】
前枠２の上部領域には、遊技盤５が配置されており、遊技盤５は、所定板厚の積層合板の裏側にセルを貼り付けてルーター加工した化粧板を基板とし、その前面側には図示しないが、環状に取り付けられたガイドレールに囲まれて略円形状の遊技領域６が設けられている。
【００３１】
遊技領域６には、図示しないが、略中央部に画像表示装置の表示部が配置され、表示部の周りにはセンター飾りや始動入賞口および大入賞口などがそれぞれ配置されている。遊技領域下部にはアウト球を回収するアウト口も設けられており、始動入賞口や大入賞口に入賞せずに落下したアウト球を遊技盤５の背面側から機外に排出できるようになっている。
【００３２】
また、前枠２の前面上部側には、遊技盤５を視認できるように透明なガラス盤を備えた前扉７が水平方向に開閉可能かつ着脱可能に設けられ、通常は、施錠装置４により閉鎖状態に保持されて遊技盤５の前面を覆っている。
【００３３】
前枠２の前面下部側でガラス扉７の下方には、球受け皿を構成している一体皿８が、前枠２に開閉支持されている背面板（図示されず）に取り付けられて設けられており、一体皿８は、図示しない施錠装置により通常、閉鎖状態に保持されている。
【００３４】
一体皿８は、後で詳細を説明するが、発射装置に向けてパチンコ球を供給する供給レールを備えた供給領域と払い出された賞球を貯留する貯留領域とをほぼ同一面内に有し、各領域から皿外部に向けてパチンコ球を排出する球抜け部を一体構造部内に纏めた構成を有している。
【００３５】
一体皿８には、パチンコ球が存在する皿部だけではなく、皿部の正面右側下部に発射ハンドル９が、そして、正面左側下部に灰皿１０等が設けられている。
【００３６】
図２は、図１に示した構成のパチンコ遊技機１００を対象として本実施例の特徴部を説明するための模式図であり、同図には一体皿８の球受け部が示されている。
【００３７】
図２において、一体皿８の球受け部は、発射装置（図示されず）に向けてパチンコ球を供給ガイドする供給レール８Ａ１を備えた供給領域８Ａと、遊技盤５の前面下部で球受け部に開口する払い出し口から払い出される賞球を貯留する貯留領域８Ｂとがほぼ同じ面内に設けられており、各領域に存在するパチンコ球が集約する位置には円形開口からなる球排出用入り口部８Ｃが設けられている。
【００３８】
球排出用入り口部８Ｂは、球受け部においてパチンコ球が集約する位置に単一で設けられており、その下方には、図３に示すように、球排出用入り口部８Ｂに連続する延長方向一端を有し、延長方向他端が球排出用入り口部８Ｃから分岐している複数の球抜き部８Ｄ、８Ｄ’が設けられている。
【００３９】
球抜き部８Ｄ、８Ｄ’は、球排出用入り口部８Ｃの開口面積に対しておおむね半分の開口面積を以て球排出用入り口部８Ｃに対面しており、本実施例では、球排出用入り口部８Ｃの開口形状を二分した形状の開口をそれぞれ有している。
【００４０】
球抜き部８Ｄ、８Ｄ’における延長方向他端はそれぞれ異なる位置に開口しており、遊技機とは別の貯留部材として用いられるドル箱の長手方向で異なる位置に対面するようになっている。
【００４１】
球排出用入り口部８Ｃおよび球抜き部８Ｄ、８Ｄ’におけるパチンコ球の出口部には、パチンコ球の排出位置を切り換えるための構成が備えられており、いま、球排出用入り口部８Ｃに設けた場合を図２乃至図４を用いて説明する。
【００４２】
図２および図３に示すように、球排出用入り口部８Ｃには、球抜き部８Ｄ、８Ｄ’に対するパチンコ球の排出位置を切り換えるための構成として、シャッター部材１１が用いられる。
【００４３】
シャッター部材１１は、図４に示すように、球排出用入り口部８Ｃを覆うことができる大きさのシャッター板１１Ａを端部に有するロッド部材で構成され、ロッド部材の長手方向においてシャッター板１１Ａと反対側の端部は一体皿８から外部に突出した操作部１１Ｂとされている。
【００４４】
ロッド部材における各端部の間にはロッド部材の長手方向と直角な方向に長手方向を有して球排出用入り口部８Ｃに対するシャッター板１１Ａの位置を規定する位置決め部１１Ｃが設けられている。
【００４５】
位置決め部１１Ｃは、３カ所の凹部１１Ｃ１と凸部１１Ｃ２とが連続した形状を有し、一体皿８の不動部に設けられて弾性部材１２により押圧付勢されているボール１３が凹部１１Ｃ１に入り込むことで移動を規制されて位置を規定されるようになっている。
【００４６】
本実施例における位置決め部１１Ｃは、シャッター板１１Ａを、図２（Ａ）に示すように、球排出用入り口部８Ｃの全てを覆うことができる位置と、図２（Ｂ）に示すように、球排出用入り口部８Ｃの開口のうちで左半分に分割された開口領域を開放することができる位置と、図２（Ｃ）に示すように、球排出用入り口部８Ｃの開口のうちで右半分に分割された開口領域を開放することができる位置とに位置決めできるようになっている。
【００４７】
本実施例では、図２（Ｂ）、（Ｃ）に示したシャッター板１１Ａの位置は、球排出用入り口部８Ｃ側で分岐する球抜き部８Ｄ、８Ｄ’のいずれかに連通する位置とされている。そして、このようなシャッター板１１Ａの位置の選択は、通常、図２（Ａ）に示す状態に位置決めされている場合から遊技者がボール１２の押圧付勢に抗した操作力を用いて操作部１１Ｂを摺動させることにより行える。
【００４８】
本実施例は以上のような構成であるから、一体皿８に貯留されているパチンコ球を一体皿８の下方に配置したドル箱などに排出する場合には、通常、図２（Ａ）に示す状態で位置決めされているシャッター部材１１を摺動させて一体皿８の受け皿部に貯留されているパチンコ球を球抜き部のいずれかに導入することができる。
【００４９】
ドル箱への排出状況を遊技者が視認しながらシャッター部材１１を操作して球排出用入り口部８Ｃから球抜き部８Ｄ、８Ｄ’への導入方向を適宜切り換えることによりドル箱に対するパチンコ球の落下位置が変化し、均等分散させて排出することができる。
【００５０】
つまり、図２（Ｂ）に示したシャッター部材１１の位置では、球排出用入り口部８Ｃの左半分の開口が開放され、この開口から導入されたパチンコ球Ｐ１が図３において矢印Ｆ１で示す位置に向け落下し、図２（Ｃ）に示したシャッター部材１１の位置では、球排出用入り口部８Ｃの右半分の開口が開放され、この開口から導入されたパチンコ球Ｐ２が図３において矢印Ｆ２で示す位置に向け落下する。
【００５１】
これにより、１カ所に集中的に排出されることがないので、山積みされたパチンコ球の頂点にパチンコ球が落下した際に弾かれて溢れてしまうような事態が防止できることになる。しかも、遊技者はパチンコ球に直接触ることなくドル箱に排出されたパチンコ球が均されたと同じ結果を得ることができるので、感電や手の汚れなどを回避することが可能となる。
【００５２】
図２乃至図４においては、パチンコ球の排出位置を球排出用入り口部８Ｃ側で切り換える構成としたが、球抜き部８Ｄ、８Ｄ’の出口側において排出位置を切り換える場合には、図示しないが、各球抜き部８Ｄ、８Ｄ’の出口部に遊技者により開閉操作が可能な開閉部材を設け、開閉部材を選択的に操作するようにすればよい。この場合の開閉部材における位置決め機構は、図４に示したシャッター部材１１の場合と同様にすることも可能である。
【００５３】
次に、本実施例の変形例について説明する。
【００５４】
本実施例は、図示しないが、球排出用入り口部８Ｃを球受け皿においてパチンコ球が集約する位置に複数設け、各球排出用入り口部８Ｃに対して排出位置が異なる球抜き部８Ｄ、８Ｄ’をそれぞれ接続したことを特徴としている。
【００５５】
本実施例においては、各球排出用入り口部８Ｃに開閉部材を設けることで球排出用入り口部８Ｃが選択的に開放されると、そこから導入されたパチンコ球がそれぞれ異なる位置に向けて排出されることになる。これにより、一体皿から排出されるパチンコ球がドル箱内で１カ所に集中することがなく、均等分散されることになる。
【００５６】
次に別の実施例について説明する。
【００５７】
図５は、本実施例の特徴部を示す図であり、同図に示す球抜き部は、図２に示した構成、つまり、球排出用入り口部８Ｃに対面する位置で分岐する構成を前提としている。
【００５８】
図５において球抜き部（便宜上、符号８０，８０’で示す）は、球排出用入り口部８Ｃに対面する開口近傍が球抜き部８０，８０’における他の部分と違って可撓性を有した部分とされ、そして、球排出用入り口部８Ｃと対面する開口は球排出用入り口部８Ｃと同じサイズとされている。本実施例では、説明を簡単にするために、１個のパチンコ球が通過できるサイズに設定されている。
【００５９】
球抜き部８０，８０’の可撓部分は、伸縮変位が可能なように蛇腹状とされてフォーク状部材８１によって把持されている。
【００６０】
フォーク状部材８１は、一体皿８の不動部に対してシーソー運動可能に支持され、揺動端の一方が球抜き部８０，８０’の把持部とされ、揺動端の他方が一体皿８から外部に突出する操作部（図示されず）とされている。
【００６１】
フォーク状部材８１は、通常、球抜き部８０，８０’が球排出用入り口部Ｃを二分する位置に位置決めされており、この状態から矢印で示す方向に揺動させることで球抜き部８０，８０’のいずれかが球排出用入り口部８Ｃに対面できるようになっている。フォーク状部材８１の位置決めは、図４に示したシャッター部材１１の場合と同様な構成、つまり、係止機構を用いることも可能であり、通常位置では、球排出用入り口部８Ｃに対して球抜き部８０，８０’の両方が対面することになるので、球排出用入り口部８Ｃの開口が両方の球抜き部８０，８０’の開口と形状が不一致となることを利用して導入されない状態を維持されることになる。
【００６２】
本実施例は以上のような構成であるから、通常の位置決めされているフォーク状部材８１を揺動させることにより球排出用入り口部８Ｃから球抜き部８０，８０’に対するパチンコ球の導入方向を切り換えることができる。
【００６３】
つまり、球排出用入り口部８Ｃの開口に対して球抜き部８０，８０’のいずれかの開口の形状が一致した場合には形状が一致した側の球抜き部にパチンコ球が導入される。これにより、球抜き部８０，８０’におけるパチンコ球の排出位置（落下位置）が異なることによりドル箱内パチンコ球が落下する位置が同じではなくなることでパチンコ球の均等分散を行わせることができる。
【００６４】
この実施例においても、遊技者が直接パチンコ球に触れなくても排出されるパチンコ球を均等分散させて排出量を多くできると共に感電や手の汚れなどを防止することができる。しかも、球抜き部自体がパチンコ球の振り分け部として機能するので、シャッター部材を用いた場合と違って、構成部品を少なくすることが可能となる。
【図面の簡単な説明】
【００６５】
【図１】本発明実施例において対象とする一体皿を備えたパチンコ遊技機の正面図である。
【図２】本発明実施例における特徴部を説明するための模式図であり、（Ａ）は、パチンコ球が排出されない状態を、（Ｂ）は球排出用入り口部の分割領域の一方からパチンコ球を排出する状態を、（Ｃ）は一体皿の球排出用入り口部の分割領域の他方からパチンコ球を排出する状態をそれぞれ示している。
【図３】図２に示した球排出用入り口部に連通する球抜き部の構成を説明するための模式図である。
【図４】図２に示した球排出用入り口部に設けられる排出位置切り換えのための構成を説明するための斜視図である。
【図５】本発明の別実施例における特徴部を説明するための部分的な斜視図である。
【符号の説明】
【００６６】
８            一体皿
８Ａ          供給領域
８Ａ１        供給レール
８Ｂ          貯留領域
８Ｃ          球排出用入り口部
８Ｄ、８Ｄ’  球抜き部
１１          シャッター部材
１１Ａ        シャッター板
１１Ｂ        操作部
１１Ｃ        位置決め部
８０，８０’  球抜き部
８１          フォーク状部材
１００        パチンコ遊技機  
【図１】
2006109911.tif 000003
【図２】
2006109911.tif 000004
【図３】
2006109911.tif 000005
【図４】
2006109911.tif 000006
【図５】
2006109911.tif 000007